(57)【要約】  無線通信ネットワークにおける波形の指示のための方法ならびに関係する無線ネットワークノードおよびユーザ機器が、説明される。本方法は、無線ネットワークノードからダウンリンク送信を受信することであって、ダウンリンク送信が少なくとも１つの特性を有する、ダウンリンク送信を受信することと、無線ネットワークノードへの今度のアップリンク送信のために２つまたはそれ以上の波形から１つの波形を選択することであって、波形が、ダウンリンク送信の少なくとも１つの特性に少なくとも部分的に基づいて選択される、１つの波形を選択することと、選択された波形を使用して、無線ネットワークノードにアップリンク送信を送信することとを含み、関係する無線ネットワークノードおよびユーザ機器は、それらを行うように適合される。【選択図】図１１
2020523941.tif 000002
【特許請求の範囲】
【請求項１】
ユーザ機器（ＵＥ）における方法であって、前記方法は、
無線ネットワークノードからダウンリンク送信を受信することであって、前記ダウンリンク送信が少なくとも１つの特性を有する、ダウンリンク送信を受信することと、
前記無線ネットワークノードへの今度のアップリンク送信のために２つまたはそれ以上の波形から１つの波形を選択することであって、前記波形が、前記ダウンリンク送信の前記少なくとも１つの特性に少なくとも部分的に基づいて選択される、１つの波形を選択することと、
前記選択された波形を使用して、前記無線ネットワークノードに前記アップリンク送信を送信することと
を含む、方法。
【請求項２】
前記ダウンリンク送信がダウンリンク制御メッセージを含む、請求項１に記載の方法。
【請求項３】
前記ダウンリンク制御メッセージがアップリンクグラントを含む、請求項２に記載の方法。
【請求項４】
前記少なくとも１つの特性は、前記ダウンリンク制御メッセージが送信される探索空間である、請求項２または３に記載の方法。
【請求項５】
前記探索空間が、共通探索空間およびＵＥ固有探索空間のうちの１つである、請求項４に記載の方法。
【請求項６】
前記少なくとも１つの特性は、前記ダウンリンク制御メッセージが送信される制御リソースセットである、請求項２または３に記載の方法。
【請求項７】
前記制御リソースセットが、第１の制御リソースセットおよび第２の制御リソースセットのうちの１つである、請求項６に記載の方法。
【請求項８】
前記少なくとも１つの特性が、前記ダウンリンク制御メッセージの変調符号化方式（ＭＣＳ）インデックスである、請求項２または３に記載の方法。
【請求項９】
前記少なくとも１つの特性が、前記ダウンリンク制御メッセージをスクランブルするために使用される無線ネットワーク一時識別子（ＲＮＴＩ）である、請求項２または３に記載の方法。
【請求項１０】
前記少なくとも１つの特性が、前記ダウンリンク制御メッセージのフォーマットである、請求項２または３に記載の方法。
【請求項１１】
前記少なくとも１つの特性に少なくとも部分的に基づいて、前記アップリンク送信のために２つまたはそれ以上のリソース割当から１つのリソース割当を選択することをさらに含み、前記無線ネットワークノードに前記アップリンク送信を送信することが、前記選択されたリソース割当を使用してさらに実施される、請求項１から１０のいずれか一項に記載の方法。
【請求項１２】
前記２つまたはそれ以上の波形の識別情報を取得することをさらに含む、請求項１から１１のいずれか一項に記載の方法。
【請求項１３】
前記２つまたはそれ以上の波形の識別情報を取得することが、前記無線ネットワークノードから受信された無線リソース制御（ＲＲＣ）シグナリングを介して、前記２つまたはそれ以上の波形のうちの少なくとも１つの識別情報を受信することを含む、請求項１２に記載の方法。
【請求項１４】
システム情報から第１の波形を決定することと、
前記ＵＥのためのＲＲＣ設定から第２の波形を決定することと、
２つまたはそれ以上の波形から１つの波形を選択することであって、前記無線ネットワークノードへの今度のアップリンク送信のために前記第１の波形および前記第２の波形から１つの波形を選択することをさらに含み、前記波形が、前記ダウンリンク送信の前記少なくとも１つの特性に少なくとも部分的に基づいて選択される、１つの波形を選択することと、
前記選択された波形を使用して、前記無線ネットワークノードに前記アップリンク送信を送信することと
をさらに含む、請求項１から１０のいずれか一項に記載の方法。
【請求項１５】
前記２つまたはそれ以上の波形のうちの１つが、離散フーリエ変換（ＤＦＴ）プリコーディングを有する離散フーリエ変換拡散直交周波数分割多重（ＤＦＴＳ−ＯＦＤＭ）ベース波形である、請求項１に記載の方法。
【請求項１６】
ユーザ機器（ＵＥ）であって、
無線ネットワークノードからダウンリンク送信を受信することであって、前記ダウンリンク送信が少なくとも１つの特性を有する、ダウンリンク送信を受信することと、
前記無線ネットワークノードへの今度のアップリンク送信のために２つまたはそれ以上の波形から１つの波形を選択することであって、前記波形が、前記ダウンリンク送信の前記少なくとも１つの特性に少なくとも部分的に基づいて選択される、１つの波形を選択することと、
前記選択された波形を使用して、前記無線ネットワークノードに前記アップリンク送信を送信することと
を行うように適合された回路を備える、ユーザ機器（ＵＥ）。
【請求項１７】
前記ＵＥが、請求項２から１５のいずれか一項に記載の方法に従って動作するようにさらに適合された、請求項１６に記載のＵＥ。
【請求項１８】
非一時的コンピュータ可読記憶媒体を備えるコンピュータプログラム製品であって、前記非一時的コンピュータ可読記憶媒体が、前記媒体において具現化されたコンピュータ可読プログラムコードを有し、前記コンピュータ可読プログラムコードは、
無線ネットワークノードからダウンリンク送信を受信するためのコンピュータ可読プログラムコードであって、前記ダウンリンク送信が少なくとも１つの特性を有する、コンピュータ可読プログラムコードと、
前記無線ネットワークノードへの今度のアップリンク送信のために２つまたはそれ以上の波形から１つの波形を選択するためのコンピュータ可読プログラムコードであって、前記波形が、前記ダウンリンク送信の前記少なくとも１つの特性に少なくとも部分的に基づいて選択される、コンピュータ可読プログラムコードと、
前記選択された波形を使用して、前記無線ネットワークノードに前記アップリンク送信を送信するためのコンピュータ可読プログラムコードと
を備える、コンピュータプログラム製品。
【請求項１９】
前記コンピュータ可読プログラムコードが、請求項２から１５のいずれか一項に記載の方法に従って動作するためのコンピュータ可読プログラムコードをさらに備える、請求項１８に記載のコンピュータプログラム製品。
【請求項２０】
無線ネットワークノードにおける方法であって、前記方法は、
ユーザ機器にダウンリンク送信を送信することであって、前記ダウンリンク送信が少なくとも１つの特性を有する、ダウンリンク送信を送信することと、
前記ユーザ機器からアップリンク送信を受信することであって、前記アップリンク送信が、前記ダウンリンク送信の前記少なくとも１つの特性に少なくとも部分的に基づいて２つまたはそれ以上の波形から選択された波形を使用する、アップリンク送信を受信することと
を含む、方法。
【請求項２１】
前記ダウンリンク送信がダウンリンク制御メッセージを含む、請求項２０に記載の方法。
【請求項２２】
前記ダウンリンク制御メッセージがアップリンクグラントを含む、請求項２１に記載の方法。
【請求項２３】
前記少なくとも１つの特性は、前記ダウンリンク制御メッセージが送信される探索空間である、請求項２１または２２に記載の方法。
【請求項２４】
前記探索空間が、共通探索空間およびＵＥ固有探索空間のうちの１つである、請求項２３に記載の方法。
【請求項２５】
前記少なくとも１つの特性は、前記ダウンリンク制御メッセージが送信される制御リソースセットである、請求項２１または２２に記載の方法。
【請求項２６】
前記制御リソースセットが、第１の制御リソースセットおよび第２の制御リソースセットのうちの１つである、請求項２５に記載の方法。
【請求項２７】
前記少なくとも１つの特性が、前記ダウンリンク制御メッセージの変調符号化方式（ＭＣＳ）インデックスである、請求項２１または２２に記載の方法。
【請求項２８】
前記少なくとも１つの特性が、前記ダウンリンク制御メッセージをスクランブルするために使用される無線ネットワーク一時識別子（ＲＮＴＩ）である、請求項２１または２２に記載の方法。
【請求項２９】
前記少なくとも１つの特性が、前記ダウンリンク制御メッセージのフォーマットである、請求項２１または２２に記載の方法。
【請求項３０】
今度のアップリンク送信のために所望される前記２つまたはそれ以上の波形のうちの１つに少なくとも部分的に基づいて、前記ダウンリンク送信の前記少なくとも１つの特性を決定することをさらに含む、請求項２０から２９のいずれか一項に記載の方法。
【請求項３１】
前記ＵＥに前記２つまたはそれ以上の波形のうちの少なくとも１つの識別情報を送信することをさらに含む、請求項２０から３０のいずれか一項に記載の方法。
【請求項３２】
前記ＵＥに前記２つまたはそれ以上の波形のうちの少なくとも１つの識別情報を送信することが、ＲＲＣシグナリングを介して実施される、請求項３１に記載の方法。
【請求項３３】
無線ネットワークノードであって、
ユーザ機器にダウンリンク送信を送信することであって、前記ダウンリンク送信が少なくとも１つの特性を有する、ダウンリンク送信を送信することと、
前記ユーザ機器からアップリンク送信を受信することであって、前記アップリンク送信が、前記ダウンリンク送信の前記少なくとも１つの特性に少なくとも部分的に基づいて２つまたはそれ以上の波形から選択された波形を使用する、アップリンク送信を受信することと
を行うように適合された処理回路を備える、無線ネットワークノード。
【請求項３４】
前記処理回路が、請求項２１から３２のいずれか一項に記載の方法に従って動作するようにさらに適合された、請求項３３に記載の無線ネットワークノード。
【請求項３５】
非一時的コンピュータ可読記憶媒体を備えるコンピュータプログラム製品であって、前記非一時的コンピュータ可読記憶媒体が、前記媒体において具現化されたコンピュータ可読プログラムコードを有し、前記コンピュータ可読プログラムコードは、
ユーザ機器にダウンリンク送信を送信するためのコンピュータ可読プログラムコードであって、前記ダウンリンク送信が少なくとも１つの特性を有する、コンピュータ可読プログラムコードと、
前記ユーザ機器からアップリンク送信を受信するためのコンピュータ可読プログラムコードであって、前記アップリンク送信が、前記ダウンリンク送信の前記少なくとも１つの特性に少なくとも部分的に基づいて２つまたはそれ以上の波形から選択された波形を使用する、コンピュータ可読プログラムコードと
を備える、コンピュータプログラム製品。
【請求項３６】
前記コンピュータ可読プログラムコードが、請求項２１から３２のいずれか一項に記載の方法に従って動作するためのコンピュータ可読プログラムコードをさらに備える、請求項３５に記載のコンピュータプログラム製品。
【請求項３７】
ユーザ機器（ＵＥ）における方法であって、前記方法が、
ｇノードＢ（ｇＮＢ）から受信されたダウンリンク送信の少なくとも１つの特性に少なくとも部分的に基づいて、波形タイプを決めることと、
前記決められた波形タイプを使用して、前記ｇＮＢにアップリンク送信を送信することと
を含む、方法。
【請求項３８】
前記ｇＮＢからダウンリンク送信を受信することであって、前記ダウンリンク送信が少なくとも１つの特性を有する、ダウンリンク送信を受信すること
をさらに含む、請求項３７に記載の方法。
【請求項３９】
システム情報から第１の波形タイプを決定することと、
前記ＵＥのためのＲＲＣ設定から第２の波形タイプを決定することと、
２つまたはそれ以上の波形タイプから波形タイプを決めることであって、前記ｇＮＢへの今度のアップリンク送信のために前記第１の波形タイプおよび前記第２の波形タイプから１つの波形タイプを決めることをさらに含み、前記波形タイプが、前記ダウンリンク送信の前記少なくとも１つの特性に少なくとも部分的に基づいて決められる、波形タイプを決めることと、
前記決められた波形タイプを使用して、前記ｇＮＢに前記アップリンク送信を送信することと
をさらに含む、請求項３７または３８に記載の方法。
【請求項４０】
前記２つまたはそれ以上の波形タイプのうちの少なくとも１つが、離散フーリエ変換（ＤＦＴ）プリコーディングを有する離散フーリエ変換拡散直交周波数分割多重（ＤＦＴＳ−ＯＦＤＭ）ベース波形である、請求項３７から３９のいずれか一項に記載の方法。
【請求項４１】
ユーザ機器（ＵＥ）であって、
ｇノードＢ（ｇＮＢ）から受信されたダウンリンク送信の少なくとも１つの特性に少なくとも部分的に基づいて、波形タイプを決めることと、
選択された波形を使用して、前記ｇノードＢにアップリンク送信を送信することと
を行うように適合された処理回路を備える、ユーザ機器（ＵＥ）。
【請求項４２】
前記処理回路は、
前記ｇＮＢからダウンリンク送信を受信することであって、前記ダウンリンク送信が少なくとも１つの特性を有する、ダウンリンク送信を受信すること
を行うようにさらに適合された、請求項４１に記載のＵＥ。
【請求項４３】
前記処理回路は、
システム情報から第１の波形タイプを決定することと、
前記ＵＥのためのＲＲＣ設定から第２の波形タイプを決定することと、
前記ｇＮＢへの今度のアップリンク送信のために前記第１の波形タイプおよび前記第２の波形タイプから１つの波形タイプを決めることであって、前記波形タイプが、前記ダウンリンク送信の前記少なくとも１つの特性に少なくとも部分的に基づいて決められる、１つの波形タイプを決めることと、
前記決められた波形タイプを使用して、前記ｇＮＢに前記アップリンク送信を送信することと
を行うようにさらに適合された、請求項４１または４２に記載のＵＥ。
【請求項４４】
前記２つまたはそれ以上の波形タイプのうちの少なくとも１つが、離散フーリエ変換（ＤＦＴ）プリコーディングを有する離散フーリエ変換拡散直交周波数分割多重（ＤＦＴＳ−ＯＦＤＭ）ベース波形である、請求項４１から４３のいずれか一項に記載のＵＥ。
【発明の詳細な説明】
【技術分野】
【０００１】
本明細書は、一般に、無線通信および無線通信ネットワークに関し、より詳細には、無線通信ネットワークにおける波形指示（ｗａｖｅｆｏｒｍ  ｉｎｄｉｃａｔｉｏｎ）に関する。
【背景技術】
【０００２】
序論
無線通信システムにおける送信は、しばしば、フレーム（または、時々、サブフレーム）に関して編成され、各フレームは、（少なくとも）１つの制御フィールドと（少なくとも）１つのペイロードデータフィールドの両方を含んでいる送信リソース（たとえば無線時間および周波数リソース）のグループである。一般に、制御フィールドは、フレームの始まりにおいて現れ、たとえば、フレームのデータ部分がどのように符号化および変調されるかに関する情報を含んでいる。制御フィールドは、逆リンク方向におけるデータ送信（すなわち、制御情報の受信機から送信されるデータ）に関係する情報、たとえば、ＡＣＫ／ＮＡＣＫ報告またはチャネル状態情報をも含んでいることがある。
【０００３】
半二重
【０００４】
通信システムが、ミリメートル波（ｍｍＷａｖｅ）システムが一般に使用しないように、対スペクトル（２つのリンク方向のための異なる周波数帯域）を使用しない場合、通常、通信を半二重に限定することが必要であり、すなわち、任意の１つの時間インスタンスにおいて、２つのリンク方向のうちの１つにおいてのみ、送信が発生することができる。したがって、時分割複信（ＴＤＤ）が使用されなければならない。この限定についての１つの理由は、無線ノード、たとえば、送信している無線ネットワークノードまたはユーザ機器が、送信アンテナと受信アンテナとの間の強いオーバーヒアリング（ｏｖｅｒｈｅａｒｉｎｇ）により、それ自体のアナログ受信回路を飽和させることである。半二重システムでは、フレームごとに制御情報のための２つのフィールド、すなわち、一方のリンク方向のためのフィールドと他方のリンク方向のためのフィールドとを有することが有用であり得る。リンクの２つの方向は、これ以降、Ｔｘ方向／Ｒｘ方向と呼ばれることになり、または２つの複信方向と呼ばれることがある。言い換えれば、所与のノードは、送信（Ｔｘ）のためにフィールドのうちの一方を使用し、受信（Ｒｘ）のために他方のフィールドを使用する。
【０００５】
プリコーディングされたマルチキャリア信号
【０００６】
プリコーディングされたマルチキャリアシグナリングでは、マルチキャリア変調器（たとえば、ＯＦＤＭ、ただし、ＦＢＭＣなどの他のマルチキャリア変調方式であり得る）は、周波数領域中のデータを直接供給されず、データは、最初にプリコーディングされ、次いでマルチキャリア変調器のサブキャリアに適用される。そのような方式は、図１に示されている。
【０００７】
プリコーディング変換は、マルチキャリア変調器の出力において、ある所望のプロパティを可能にする任意のプリコーダであり得、頻繁に、プリコーディングは、マルチキャリア変調器の出力において低いピーク対平均電力比（ＰＡＰＲ）信号を生成するために使用される。マルチキャリア変調器がＯＦＤＭ変調器である場合、プリコーダの一般的な選定は離散フーリエ変換（ＤＦＴ）である。この場合、プリコーディングされたマルチキャリア方式は、ＬＴＥネットワークにおけるアップリンクにおいて使用される、よく知られているＤＦＴＳ−ＯＦＤＭシグナリング方式である。
【０００８】
マルチキャリア変調器がＦＢＭＣである場合、ＦＢＭＣ変調器の出力においてＰＡＰＲを低減する選定は、フィルタバンク変換を用いてプリコーディングを実施することである。
【０００９】
ＤＦＴＳ−ＯＦＤＭの場合、ブロックｉのための出力信号は、（簡単のために下付き文字ｉを省略して）次のように書かれ得る。
2020523941.tif 000003
【００１０】
ＦＭおよびＦＮは、それぞれ、サイズＭのＤＦＴ行列およびサイズＮのＤＦＴ行列である。Ｍは、割り当てられたサブキャリアの数であり、Ｎは、ＯＦＤＭ変調器のＩＤＦＴサイズである。Ｎ×Ｍ行列Ｓは、拡散演算の出力をＭ個の割り当てられたサブキャリアにマッピングし、各列において厳密に１つの１、他の場合には０のみを有する。Ｍ個のサブキャリアの連続マッピングの場合、以下を有する。
2020523941.tif 000004
【００１１】
Ｍ×Ｍ単位行列はＩＭであり、
2020523941.tif 000005
および
2020523941.tif 000006
は、それぞれ、サイズ
2020523941.tif 000007
の全ゼロ行列およびサイズ
2020523941.tif 000008
の全ゼロ行列である。インターリーブされたマッピングなどの不連続マッピングが、同様に可能である。送信すべきデータベクトルは、Ｍ成分ベクトルｘである。
【００１２】
一般に、受信機における単純な周波数領域等化（ｆｒｅｑｕｅｎｃｙ−ｄｏｍａｉｎ  ｅｑｕａｌｉｚａｔｉｏｎ）を可能にするために、ｙの前にガード間隔が付けられる。図２に示されているように、ガード間隔は、真のガード間隔（Ｌ成分長ゼロベクトル）またはサイクリックプレフィックス（ｙの最後のＬ成分のコピー）のいずれかであり得る。どちらの場合も、ガード間隔をもつ信号は、次のように書かれ得る。
2020523941.tif 000009
【００１３】
Ｐは、真のガード間隔またはサイクリックプレフィックスを挿入する行列である。
【００１４】
フレーム構造
【００１５】
通信システムの可能なフレーム構造が、図３に示されている。通信する任意の２つのノードは、原則として恣意的に、ＴｘのためにおよびＲｘのために２つの制御フィールドのうちのどちらが使用されるべきであるかを選択し得る（図３の左パネルおよび右パネルを参照）。しかしながら、そのような恣意性は、複雑なネゴシエーションプロシージャを必要とし得、したがって、システムのための一般的ルール、たとえば、フィールドのうちの一方は常にＴｘ  ＤＬ、すなわち無線ネットワークノードによるＴｘのために使用されるが、他方のフィールドは常にＴｘ  ＵＬ、すなわちＵＥによるＴｘのために使用される（図４の左パネルおよび右パネルを参照）ことを有することが、しばしばより実際的である。また、システムにおける異なるリンク上のフレームが、好ましくは時間整合されるべきであり、その理由の１つは、これにより、ノードは、別の通信リンクがそのフレームを完了するのを待つことなしに、フレームごとに通信パートナー（ノード）をより自由におよび効率的に変えることが可能になるからであることに留意されたい。
【００１６】
フィールドは、たいていの送信システムにおいて、より小さいユニットにさらに分割され、たとえば、ＯＦＤＭベースシステムにおいて、フィールドは、１つまたは複数のＯＦＤＭシンボルにさらに分割されるであろう。たとえば、ＤＦＴＳ−ＯＦＤＭ、ＦＢＭＣなどに基づくシステムの場合、同様のことが成り立つ。そのようなユニットは、一般にシンボルと呼ばれることがある。いくつかのフィールドが、単一のシンボルのみからなり得る。
【００１７】
フレーム中のおよびフレーム間の他の信号およびフィールド
【００１８】
３つのフィールドの各々内に、一般に、点在した他の信号、たとえば、受信機がチャネル推定を実施することを可能にするための参照信号（またはパイロット信号）もあり得ることに留意されたい。
【００１９】
ＭＣＳおよびＴＢＳ決定
【００２０】
ＬＴＥ  ＰＵＳＣＨの初期送信の場合、ＭＣＳインデックス（ＩＭＣＳ）が、ＤＣＩ中でＵＥにシグナリングされる。ＵＥは、ＴＳ３６．２１３において指定されているＭＣＳテーブルから変調次数（Ｑｍ）とＴＢＳインデックス（ＩＴＢＳ）とを読み取るために、行鍵として、受信されたＩＭＣＳを使用する。ＴＢＳを決定するために、ＵＥは、最初に、割り当てられたＰＲＢの総数（ＮＰＲＢ）を計算する。ＵＥは、次いで、行鍵としてＩＴＢＳを使用し、列鍵としてＮＰＲＢを使用して、ＴＳ３６．２１３において指定されているＴＢＳテーブルからＴＢＳを決定する。
【００２１】
再送信の場合、無線ネットワークノード（たとえば、ＬＴＥにおけるｅＮＢ）は、ＵＥに変調次数をシグナリングすることを選ぶことができ、ＵＥは、０≦ＩＭＣＳ≦２７または２８を使用する同じトランスポートブロックの場合、最近のＰＤＣＣＨ中でトランスポートされたＤＣＩから決定されたＴＢＳを仮定するものとする。
【００２２】
ＰＵＳＣＨ  ＴＢＳは、ＰＵＳＣＨを搬送するためにＰＲＢごとに１４４個のＲＥが利用可能であると仮定して設計される。ＭＣＳテーブルは、ＰＵＳＣＨのためのＤＦＴＳ−ＯＦＤＭ波形を仮定して設計される。
【００２３】
Ｒｅｌ−８  ＬＴＥ  ＰＵＳＣＨは、同期ＨＡＲＱプロトコルを動作させるように設計された。初期送信の場合、反復バージョンは、ｒｖｉｄｘ＝０に制限される。
【００２４】
ＮＲ  ＰＵＳＣＨのために、ＭＣＳテーブルが、変調次数（Ｑｍ）と、ＴＢＳインデックス（ＩＴＢＳ）の代わりにターゲットコードレート（Ｒ）とを与えることが提案された。ＯＦＤＭ波形をもつＰＵＳＣＨについての１つのそのような例が、以下の表１で与えられている。ターゲットコードレートは、２５６ＱＡＭサポートのためにＬＴＥ  ＭＣＳテーブルについて同意されたものである。
【００２５】
０≦ＩＭＣＳ≦２７の場合、ＵＥは、たとえば、以下に基づいてＴＢＳを決定し、
2020523941.tif 000010
ここで、
ｖは、コードワードがその上にマッピングされるレイヤの数であり、
2020523941.tif 000011
は、ＰＵＳＣＨを搬送するのに利用可能なスロット／ミニスロットごとのＲＥの数である。
【００２６】
２８≦ＩＭＣＳ≦３１の場合、ＴＢＳは、０≦ＩＭＣＳ≦２７を使用する同じＴＢについての直近に受信されたＰＤＣＣＨ中のＤＣＩから決定されると仮定される。
【００２７】
上記で説明されたように、
2020523941.tif 000012
は、ＬＴＥにおいて１４４であると仮定される。ＮＲが様々なスロット／ミニスロット／ＰＵＳＣＨ長をサポートするために、
2020523941.tif 000013
のためのよりフレキシブルなフレームワークが使用されるべきである。以下の構成要素うちの１つまたは複数が考慮され得る。
−  デフォルト
2020523941.tif 000014
値が、仕様において規定され得、たとえば、システム情報、ページングおよびランダムアクセス返答送信に適用可能であり得る。この目的で、
2020523941.tif 000015
が、１４−ＯＳスロットについて考慮され得、
2020523941.tif 000016
が、７−ＯＳスロットについて考慮され得る。
−  異なるＰＵＳＣＨ送信長についてのいくつかのデフォルト
2020523941.tif 000017
値が、仕様において指定され得る。
−  ネットワークは、特定の
2020523941.tif 000018
をＰＵＳＣＨに適用するようにＵＥを設定することができる。
−  ネットワークは、
2020523941.tif 000019
値のセット（たとえば、４つの値）をＵＥに設定することができる。その場合、ＤＣＩは、あらかじめ設定された
2020523941.tif 000020
値のうちの１つを現在ＰＵＳＣＨのために適用するようにＵＥに命令するためのインデックスを含んでいる。
−  ＭＣＳテーブル中の利用可能なコードレートよりも低いコードレートが、特定の使用事例（たとえば、ＵＲＬＬＣ）のために必要であることがわかった場合、ネットワークは、割り当てられたリソースが実質的により小さいＴＢを搬送するために使用されるように、実質的により低い
2020523941.tif 000021
値を設定／選択することができる。
2020523941.tif 000022
2020523941.tif 000023
【００２８】
ＲＲＣ設定および処理遅延
【００２９】
ＵＥがＲＲＣコマンドを受信するとき、ＵＥは（ＲＲＣプロシージャ遅延として図５に示されている）時間ウィンドウを可能にされ、時間ウィンドウ中に、ＵＥは、そのウィンドウ中の任意の時間においてＲＲＣコマンドを適用することができる。この遅延により、ＵＥと通信している無線ネットワークノード（たとえばｅノードＢ（ｅＮＢ）、ｇノードＢ（ｇＮＢ））は、時間ウィンドウ中に、ＵＥのＲＲＣ設定について不確実になる。たとえば、ＵＥが、波形タイプ１を使用してＰＵＳＣＨを送信するように設定された場合、およびＵＥが、波形タイプ２を示すＲＲＣコマンドを受信する場合、ＲＲＣ処理遅延に対応する時間ウィンドウ中に、ネットワークは、ＵＥによるＰＵＳＣＨ送信がタイプ１であるのかタイプ２であるのかが不確実になる。タイプ１はＯＦＤＭであり得、タイプ２はＤＦＴＳ−ＯＦＤＭであり得、またはその逆もあり得る。
【００３０】
送信プロファイル
【００３１】
最後のＲＡＮ２会議では、以下がＲＡＮ２において結論付けられた。
【００３２】
ＬＣＰについて、およびどの制限を使用すべきかを知るために、ＭＡＣは、単にＴＴＩ長よりも多くの情報（たとえばヌメロロジー）に気づいている必要がある。インデックスまたはプロファイルに基づくアブストラクションが、サポートされ得る。正確なパラメータはＦＦＳである。
【００３３】
手法ＲＡＮ２は、アップリンクのための送信インデックス／プロファイルを規定することである。所与のプロファイルにマッピングするＬＣＰ。設定は、最後にＲＲＣ設定されるであろう。複数のＬＣＰが同じプロファイルにマッピングされ得るか、または、単一のＬＣＰがプロファイルにマッピングされ得る。現在、ＲＡＮ２内で規定されている合計８つのＬＣＰがある。ＲＡＮ１の観点から、開始から設計においてこのことを考慮し、適用可能なセットアップがＲＡＮ１から想定され得ることに関してＲＡＮ２に知らせることが、良いであろう。物理レイヤの観点から、ｇＮＢは、その適用可能なＭＣＳ、ＴＢＳなどとともに、ＰＵＳＣＨがその内に位置するシンボルの数をセットすることができる。その意味では、ｇＮＢは、所与のプロファイルに好適である適用可能なセッティングを選択することができ、したがって、ＵＬグラントは、特定の送信とともに関連するプロファイルを示す必要があるにすぎないであろう。プロファイルとともに、プロファイル依存であるｇＮＢにおいて、受信されたターゲットＳＩＮＲ（Ｐ０）をセットするパラメータを有することを、自動的に、潜在的に考慮することができる。
【００３４】
上記の考慮事項以外に、ＲＡＮ１が考慮すべき主要な態様は、いくつのプロファイルがサポートされるべきかである。現在規定されている８ＬＣＰがあるとすれば、８つのプロファイルを超えることは、魅力的であるようには思われない。同様に、２のように、２つの少数のプロファイルを有することは、いくぶん限定的であるであろう。したがって、４プロファイルまたは８プロファイルのいずれかを目指すことが、好適な選定になるであろう。このことは、関連する送信プロファイルを示すためのＵＬグラントにおける２ビットまたは３ビットのいずれかにつながるであろう。
【００３５】
ＣＯＲＥＳＥＴおよび探索空間
【００３６】
ＮＲは、ダウンリンクにおいてＯＦＤＭを使用する。したがって、基本ＮＲダウンリンク物理リソースが、図６に示されているように、時間周波数グリッドとして見られ得、各リソースエレメントが、１つのＯＦＤＭシンボル間隔中の１つのＯＦＤＭサブキャリアに対応する。複数のサブキャリアスペーシングが、ＮＲにおいてサポートされる。図６は、サブキャリアスペーシングが１５ｋＨｚである場合を示す。
【００３７】
ダウンリンク制御情報（ＤＣＩ）、たとえばダウンリンクスケジューリング割り振りおよびアップリンクスケジューリンググラントのために、ＮＲにおいてＰＤＣＣＨ（物理ダウンリンク制御チャネル）が使用される。ＰＤＣＣＨは、概して、スロットの始まりにおいて送信され、同じまたは後のスロット中のデータに関係するが、ＵＥは、原則として、たとえば、ミニスロットベース送信をハンドリングするために、スロットごとに１回よりも頻繁にＰＤＣＣＨを監視するように設定され得る。ＰＤＣＣＨの異なるフォーマット（サイズ）が、異なるＤＣＩペイロードサイズおよび異なるアグリゲーションレベル（すなわち、所与のペイロードサイズのための異なるコードレート）をハンドリングすることが可能である。ＵＥは、異なるアグリゲーションレベルおよびＤＣＩペイロードサイズのいくつかのＰＤＣＣＨ候補についてブラインドで監視（または探索）するように（暗黙的におよび／または明示的に）設定される。有効なＤＣＩメッセージを検出する（すなわち、候補の復号が成功し、ＤＣＩが、監視するようにＵＥが告げられるＩＤを含んでいる）と、ＵＥは、ＤＣＩに従う（たとえば、対応するダウンリンクデータを受信する、またはアップリンクにおいて送信する）。ブラインド復号プロセスは、ＵＥにおける複雑さという犠牲を払うことになるが、フレキシブルスケジューリングおよび異なるＤＣＩペイロードサイズのハンドリングを与えることを必要とされる。
【００３８】
ＤＣＩはまた、送信または受信のために必要とされる量をシグナリングするために、ＲＲＣシグナリングと組み合わせて使用され得る。一例は、ハイブリッドＡＲＱ確認応答などのアップリンクにおけるフィードバックシグナリングのために使用されるべきリソースのシグナリングである。アップリンクにおける完全なロケーションを指示することは、大きすぎるＤＣＩオーバーヘッドを生じ得る。代わりに、２ビットインデックスが、ＤＣＩの一部として送信され、テーブルへのインデックスとして使用され、４つのあらかじめ設定された（またはあらかじめ規定された）エントリの中から１つが選択され得る。このようにして、ＤＣＩオーバーヘッドは小さく保たれ得、それと同時に、異なる展開シナリオおよび動作条件をハンドリングするためのかなりの量のフレキシビリティを可能にする。同じ手法は、原則として、アップリンクにおいて使用されるべきハイブリッドＡＲＱリソースだけでなく、任意の制御情報のために使用され得る。
【００３９】
ＮＲでは、現在、ＵＥがＰＤＣＣＨ送信を監視することができる制御リソースリージョンをどのように設定するか、および複数の制御リソースリージョンを伴ってＵＥがどのように設定され得るかに関して議論がある。これらの制御リージョンのうちのいくつかは、複数のＵＥを対象とする共通制御メッセージを送るために使用され得、いくつかは、ＵＥ固有制御メッセージを対象とし得る。制御リージョンは、共通制御メッセージとＵＥ固有制御メッセージの両方をサーブすることができる。ＮＲにおけるＬＴＥとの１つの相違は、キャリア帯域幅がより大きくなり得、したがって、制御リージョンがキャリアの帯域幅全体にわたらないことにおいて見られる利益があることである。したがって、制御リージョンが時間においておよび周波数において限定されることになることが予想される。
【００４０】
制御リージョンは、概して、複数のＵＥがそのリージョン内でシグナリングされ得ることを保証するように寸法決定される必要がある。これを行うために、制御メッセージを探索するために制御リージョンに割り振られたＵＥの数が、制御リージョン中で利用可能なリソースよりもはるかに大きい場合、統計的多重化原理が使用される。したがって、異なるＵＥのための探索空間は、任意の特定のＵＥがスケジュールされる必要があるときのブロッキング確率を最小限に抑えるために、統計的多重化が使用され得るように、ランダム化される。したがって、制御リージョンは、複数のＵＥのためのＰＤＣＣＨを同時にシグナリングすることが可能であるように寸法決定されることが予想され、制御リージョンを監視するために割り振られるＵＥの数は、同時にシグナリングされ得るＵＥの数よりも大きくなることが予想される。
【００４１】
以下では、ＣＯＲＥＳＥＴは、ＵＥに設定された制御リソースセットである。ＣＯＲＥＳＥＴは、周波数におけるＰＲＢと時間におけるＯＦＤＭシンボルとのセットにわたる、リソースエレメント（ＲＥ）のセットである。ＵＥは、１つまたは複数のＰＤＣＣＨの潜在的受信についてＵＥが監視するべきである、１つまたは複数のＣＯＲＥＳＥＴを伴って設定され得る。１つのＵＥまたは異なるＵＥのためのＣＯＲＥＳＥＴは、原則として（部分的に）重複し得る。簡単のために、図８および図９では、ＣＯＲＥＳＥＴが部分的に重複しないと仮定される。
【００４２】
ＣＯＲＥＳＥＴによって規定されたリソースを使用して、もしあれば、（１つまたは複数の）有効なＰＤＣＣＨを検出するために、１つまたは複数の探索空間を使用するブラインド復号が実施され得る（図９参照）。ＣＯＲＥＳＥＴ中のいくつかのリソースが、制御チャネルエレメント（ＣＣＥ）を形成する。ＵＥは、これらのＣＣＥのうちの１つまたは複数を使用してＰＤＣＣＨをブラインド復号することを試みる。一般に、異なる探索空間は、異なるアグリゲーションレベルを使用し、ここで、アグリゲーションレベルは、ＰＤＣＣＨ候補によって使用されるＣＣＥの数である。たとえば、アグリゲーションレベル１での探索空間は、単一のＣＣＥからなるＰＤＣＣＨ候補を監視し、アグリゲーションレベル２での探索空間は、ＣＣＥのペアからなるＰＤＣＣＨ候補を監視する、などである。各探索空間中のＰＤＣＣＨ候補を構成するのがどのＣＣＥ（またはＣＣＥのセット）かは、何らかのルールによって与えられる。
【００４３】
いくつかの場合には、共通制御メッセージを受信するために、複数のＵＥが、同じ探索空間中の制御シグナリングを監視し（または復号することを試み）得る。そのような探索空間は、共通探索空間と呼ばれることがあり、ここで、探索空間に関連するパラメータ（たえば、ＣＣＥロケーション、監視されるアグリゲーションレベル、ランダム化／ハッシング関数関係のパラメータ）が、ＵＥに割り振られたＵＥＩＤまたはＲＮＴＩなどのＵＥ固有パラメータにリンクされない。ＵＥ固有制御メッセージを受信するために、ＵＥは、ＵＥ固有探索空間中の制御シグナリングを監視し（または復号することを試み）得る。ＵＥ固有探索空間では、探索空間に関連する少なくとも１つまたは複数のパラメータ（たとえばＣＣＥロケーション、監視されるアグリゲーションレベル、ランダム化／ハッシング関数関係のパラメータ）が、ＵＥに割り振られたＵＥＩＤまたはＲＮＴＩなどのＵＥ固有パラメータにリンクされる。
【発明の概要】
【００４４】
ＮＲは、少なくともアップリンクにおいて２つの波形をサポートする。一方がＯＦＤＭであり、他方がＤＦＴＳ−ＯＦＤＭである。波形切り替えが、たとえば、ＲＲＣシグナリングを介して行われる場合、アップリンクにおいてＵＥが使用することになる波形がネットワークに知られていない場合、ＲＲＣシグナリングに関連した、不確実性の期間があることになる。ＬＴＥでは、規格からのこの不確実性期間は１５ｍｓであり、さらに、ネットワーク側からの何らかの実装ベースの不確実性があり得る。
【００４５】
いくつかの実施形態によれば、ＵＥは、ダウンリンク送信の特性に少なくとも部分的に基づいて、アップリンクにおいてどの波形を使用すべきかに気づかされる。たとえば、ＵＥは、特定の探索空間（たとえば、共通探索空間）中で受信されたアップリンクグラントに応答して、アップリンク送信のためのデフォルト波形を使用し得る。
【００４６】
一態様によれば、いくつかの実施形態は、ユーザ機器（ＵＥ）によって実施される方法を含む。本方法は、概して、無線ネットワークノードからダウンリンク送信を受信することであって、ダウンリンク送信が少なくとも１つの特性を有する、ダウンリンク送信を受信することと、無線ネットワークノードへの今度のアップリンク送信のために２つまたはそれ以上の波形から１つの波形を選択することであって、波形が、ダウンリンク送信の少なくとも１つの特性に少なくとも部分的に基づいて選択される、１つの波形を選択することと、選択された波形を使用して、無線ネットワークノードにアップリンク送信を送信することとを含む。
【００４７】
いくつかの実施形態では、ダウンリンク送信はダウンリンク制御メッセージを含み得る。いくつかの実施形態では、ダウンリンク制御メッセージはアップリンクグラントを含み得る。
【００４８】
いくつかの実施形態では、少なくとも１つの特性は、ダウンリンク制御メッセージがそこで送信される探索空間であり得る。探索空間は、共通探索空間およびＵＥ固有探索空間のうちの１つであり得る。
【００４９】
いくつかの実施形態では、少なくとも１つの特性は、ダウンリンク制御メッセージがそこで送信される制御リソースセットであり得る。制御リソースセットは、第１の制御リソースセットおよび第２の制御リソースセットのうちの１つであり得る。
【００５０】
いくつかの実施形態では、少なくとも１つの特性は、ダウンリンク制御メッセージの変調符号化方式（ＭＣＳ）インデックスであり得る。
【００５１】
いくつかの実施形態では、少なくとも１つの特性は、ダウンリンク制御メッセージをスクランブルするために使用される無線ネットワーク一時識別子（ＲＮＴＩ）であり得る。
【００５２】
いくつかの実施形態では、少なくとも１つの特性は、ダウンリンク制御メッセージのフォーマットであり得る。
【００５３】
いくつかの実施形態では、本方法は、少なくとも１つの特性に少なくとも部分的に基づいて、アップリンク送信のために２つまたはそれ以上のリソース割当から１つのリソース割当を選択することと、選択されたリソース割当を使用して、無線ネットワークノードにアップリンク送信を送信することとを含むか、またはさらに含み得る。
【００５４】
いくつかの実施形態では、本方法は、２つまたはそれ以上の波形の識別情報を取得することを含むか、またはさらに含み得る。そのような実施形態では、本方法は、無線ネットワークノードから受信された無線リソース制御（ＲＲＣ）シグナリングを介して、２つまたはそれ以上の波形のうちの少なくとも１つの識別情報を受信することを含むか、またはさらに含み得る。
【００５５】
別の態様によれば、いくつかの実施形態は、本明細書で説明される１つまたは複数のＵＥ機能性（たとえば、ステップ、アクションなど）を実施するように設定された、または動作可能なＵＥを含む。
【００５６】
いくつかの実施形態では、ＵＥは、１つまたは複数の無線ネットワークノードとおよび／または１つまたは複数の他のＵＥと通信するように設定されたトランシーバと、トランシーバに動作可能に接続された処理回路とを備え得、処理回路は、本明細書で説明される１つまたは複数のＵＥ機能性を実施するように設定される。いくつかの実施形態では、処理回路は、少なくとも１つのプロセッサと、プロセッサによって実行されると、本明細書で説明される１つまたは複数のＵＥ機能性を実施するようにプロセッサを設定する命令を記憶する少なくとも１つのメモリとを備え得る。
【００５７】
いくつかの実施形態では、ＵＥは、本明細書で説明される１つまたは複数のＵＥ機能性を実施するように設定された１つまたは複数の機能モジュールを備え得る。
【００５８】
別の態様によれば、いくつかの実施形態は、ＵＥの処理回路（たとえば、プロセッサ）によって実行されると、本明細書で説明される１つまたは複数のＵＥ機能性を実施するように処理回路を設定する命令を備えるコンピュータプログラム製品を記憶する非一時的コンピュータ可読媒体を含む。
【００５９】
別の態様によれば、いくつかの実施形態は、無線ネットワークノードによって実施される方法を含む。本方法は、概して、ユーザ機器にダウンリンク送信を送信することであって、ダウンリンク送信が少なくとも１つの特性を有する、ダウンリンク送信を送信することと、ユーザ機器からアップリンク送信を受信することであって、アップリンク送信が、ダウンリンク送信の少なくとも１つの特性に少なくとも部分的に基づいて２つまたはそれ以上の波形から選択された波形を使用する、アップリンク送信を受信することとを含む。
【００６０】
いくつかの実施形態では、ダウンリンク送信はダウンリンク制御メッセージを含み得る。いくつかの実施形態では、ダウンリンク制御メッセージはアップリンクグラントを含み得る。
【００６１】
いくつかの実施形態では、少なくとも１つの特性は、ダウンリンク制御メッセージがそこで送信される探索空間であり得る。探索空間は、共通探索空間およびＵＥ固有探索空間のうちの１つであり得る。
【００６２】
いくつかの実施形態では、少なくとも１つの特性は、ダウンリンク制御メッセージがそこで送信される制御リソースセットであり得る。制御リソースセットは、第１の制御リソースセットおよび第２の制御リソースセットのうちの１つであり得る。
【００６３】
いくつかの実施形態では、少なくとも１つの特性は、ダウンリンク制御メッセージの変調符号化方式（ＭＣＳ）インデックスであり得る。
【００６４】
いくつかの実施形態では、少なくとも１つの特性は、ダウンリンク制御メッセージをスクランブルするために使用される無線ネットワーク一時識別子（ＲＮＴＩ）であり得る。
【００６５】
いくつかの実施形態では、少なくとも１つの特性は、ダウンリンク制御メッセージのフォーマットであり得る。
【００６６】
いくつかの実施形態では、本方法は、今度のアップリンク送信のために所望される２つまたはそれ以上の波形のうちの１つに少なくとも部分的に基づいて、ダウンリンク送信の少なくとも１つの特性を決定することを含むか、またはさらに含み得る。
【００６７】
いくつかの実施形態では、本方法は、ＵＥに２つまたはそれ以上の波形のうちの少なくとも１つの識別情報を送信することを含むか、またはさらに含み得る。そのような実施形態では、ＵＥに２つまたはそれ以上の波形のうちの少なくとも１つの識別情報を送信することは、ＲＲＣシグナリングを介して実施され得る。
【００６８】
別の態様によれば、いくつかの実施形態は、本明細書で説明される１つまたは複数の無線ネットワークノード機能性（たとえば、ステップ、アクションなど）を実施するように設定された、または動作可能な無線ネットワークノードを含む。
【００６９】
いくつかの実施形態では、無線ネットワークノードは、１つまたは複数のＵＥと通信するように設定されたトランシーバと、１つまたは複数の他の無線ネットワークノードとおよび／または（コアネットワークノードを含む）１つまたは複数のネットワークノードと通信するように設定された通信インターフェースと、通信インターフェースに動作可能に接続された処理回路とを備え得、処理回路は、本明細書で説明される１つまたは複数の無線ネットワークノード機能性を実施するように設定される。いくつかの実施形態では、処理回路は、少なくとも１つのプロセッサと、プロセッサによって実行されると、本明細書で説明される１つまたは複数の無線ネットワークノード機能性を実施するようにプロセッサを設定する命令を記憶する少なくとも１つのメモリとを備え得る。
【００７０】
いくつかの実施形態では、無線ネットワークノードは、本明細書で説明される１つまたは複数の無線ネットワークノード機能性を実施するように設定された１つまたは複数の機能モジュールを備え得る。
【００７１】
別の態様によれば、いくつかの実施形態は、無線ネットワークノードの処理回路（たとえば、プロセッサ）によって実行されると、本明細書で説明される１つまたは複数の無線ネットワークノード機能性を実施するように処理回路を設定する命令を備えるコンピュータプログラム製品を記憶する非一時的コンピュータ可読媒体を含む。
【００７２】
いくつかの実施形態は、波形タイプのＲＲＣ再設定中にＵＥによって使用される波形タイプについての不確実性を除去し得る。
【００７３】
添付図とともに特定の実施形態の以下の説明を検討すると、他の態様および特徴が当業者に明らかになろう。
【００７４】
以下の図を参照しながら、例示的な実施形態がより詳細に説明される。
【図面の簡単な説明】
【００７５】
【図１】プリコーディングされたマルチキャリアシグナリングの概略図である。
【図２】ガード間隔、ａ）サイクリックプレフィックス、ｂ）真のガード間隔の図である。
【図３】可能なフレーム構造および方向性割り振りの概略図である。
【図４】可能なフレーム構造および方向性割り振りの別の概略図である。
【図５】ＲＲＣプロシージャ遅延の概略図である。
【図６】１５ｋＨｚサブキャリアスペーシングをもつＮＲダウンリンク物理リソースの概略図である。
【図７】パラメータ値の動的シグナリングと半静的シグナリングとの組合せの概略図である。
【図８】制御リソースセット（ＣＯＲＥＳＥＴ）の概略図である。
【図９】制御リソースセット（ＣＯＲＥＳＥＴ）と探索空間との間の関係の概略図である。
【図１０】いくつかの実施形態による、例示的な通信ネットワークの概略図である。
【図１１】いくつかの実施形態によるシグナリング図である。
【図１２】いくつかの実施形態による、ユーザ機器の動作のフローチャートである。
【図１３】いくつかの実施形態による、無線ネットワークノードの動作のフローチャートである。
【図１４】いくつかの実施形態による、ユーザ機器のブロック図である。
【図１５】いくつかの実施形態による、ユーザ機器の別のブロック図である。
【図１６】いくつかの実施形態による、無線ネットワークノードのブロック図である。
【図１７】いくつかの実施形態による、無線ネットワークノードの別のブロック図である。
【発明を実施するための形態】
【００７６】
以下に記載される実施形態は、当業者が本実施形態を実践することができるようにするための情報を表す。添付の図に照らして以下の説明を読むと、当業者は、その説明の概念を理解し、本明細書では特に扱われないこれらの概念の適用例を認識されよう。これらの概念および適用例は、その説明の範囲内に入ることを理解されたい。
【００７７】
以下の説明では、多数の具体的な詳細が記載されている。ただし、実施形態は、これらの具体的な詳細なしに実施され得ることを理解されたい。他の事例では、よく知られている回路、構造および技法は、その説明の理解を不明瞭にしないために詳細に示されていない。当業者は、含まれた説明を用いて、過度の実験なしに適切な機能性を実装することが可能になる。
【００７８】
「一実施形態（ｏｎｅ  ｅｍｂｏｄｉｍｅｎｔ）」、「一実施形態（ａｎ  ｅｍｂｏｄｉｍｅｎｔ）」、「例示的な実施形態」などへの本明細書における言及は、説明される実施形態が、特定の特徴、構造、または特性を含み得ることを示すが、あらゆる実施形態が、必ずしも、特定の特徴、構造、または特性を含むとは限らないことがある。その上、そのような句は必ずしも同じ実施形態を指しているとは限らない。さらに、特定の特徴、構造、または特性が実施形態に関して説明されるとき、明示的に説明されるか否かにかかわらず、他の実施形態に関してそのような特徴、構造、または特性を実装することは当業者の知識内にあることが具申される。
【００７９】
本明細書で使用される単数形「ａ」、「ａｎ」および「ｔｈｅ」は、文脈が別段に明確に示すのでなければ、複数形をも含むものとする。さらに、本明細書で使用される「備える、含む（ｃｏｍｐｒｉｓｅｓ）」、「備える、含む（ｃｏｍｐｒｉｓｉｎｇ）」、「含む（ｉｎｃｌｕｄｅｓ）」、および／または「含む（ｉｎｃｌｕｄｉｎｇ）」という用語は、述べられた特徴、整数、ステップ、動作、エレメント、および／または構成要素の存在を指定するが、１つまたは複数の他の特徴、整数、ステップ、動作、エレメント、構成要素、および／またはそれらのグループの存在または追加を排除しないことを理解されよう。
【００８０】
図１０は、無線通信のために使用され得る無線ネットワーク１００の一例を示す。無線ネットワーク１００は、（ＵＥ１１０と総称される）ＵＥ１１０Ａ〜１１０Ｂと、様々なコアネットワークノード１３０を備え得るコアネットワーク１３５に直接または間接的に接続された（無線ネットワークノード１２０と総称される）複数の無線ネットワークノード１２０Ａ〜１２０Ｂ（たとえば、ＮＢ、ＲＮＣ、ｅＮＢ、ｇＮＢなど）とを含む。ネットワーク１００は、ＵＭＴＳ地上無線アクセスネットワーク（ＵＴＲＡＮ）、および拡張ＵＭＴＳ地上無線アクセスネットワーク（ＥＵＴＲＡＮ）、および新しい無線（ＮＲ）無線アクセスネットワークを含む、任意の好適な無線アクセスネットワーク（ＲＡＮ）展開シナリオを使用し得る。カバレッジエリア１１５内のＵＥ１１０は、各々、無線インターフェース上で無線ネットワークノード１２０と直接通信することが可能であり得る。いくつかの実施形態では、ＵＥは、デバイスツーデバイス（Ｄ２Ｄ）通信を介して互いと通信することも可能であり得る。
【００８１】
一例として、ＵＥ１１０Ａは、無線インターフェース上で無線ネットワークノード１２０Ａと通信し得る。すなわち、ＵＥ１１０Ａは、無線ネットワークノード１２０Ａに無線信号を送信し、および／または無線ネットワークノード１２０Ａから無線信号を受信し得る。無線信号は、音声トラフィック、データトラフィック、制御信号、および／または任意の他の好適な情報を含んでいることがある。いくつかの実施形態では、無線ネットワークノード１２０に関連する無線信号カバレッジのエリアは、セルと呼ばれることがある。
【００８２】
説明は、ＮＲのためのアップリンク（ＵＬ）においてＤＦＴＳ−ＯＦＤＭベース波形とＯＦＤＭベース波形との間で選択する文脈におけるものである。ただし、同じ原理がダウンリンク（ＤＬ）のためのＰＤＳＣＨのために適用され得ることが、理解され得る。同じ原理は、さらに、これら２つの波形間の選択以上のために適用され得る。選択は、３つ、４つ、またはそれ以上の波形をも含むように増加され得る。選択は、さらに、ＯＦＤＭ波形と何らかの他のタイプの波形との間のものでもあり得る。
【００８３】
いくつかの実施形態では、デフォルト波形タイプ（たとえばＯＦＤＭまたはＤＦＴＳ−ＯＦＤＭ）が、システム情報の一部としてＵＥ１１０に指示されるか、または規格において指定される。ＵＥ１１０はまた、ＲＲＣを介して波形タイプを伴って設定される（ＲＲＣ設定された波形タイプ）。ＵＥ１１０がＵＬグラントを受信するとき、ＵＥは、アップリンクグラントの特性に基づいて、デフォルト波形タイプまたはＲＲＣ設定された波形タイプのいずれかを使用するであろう。
【００８４】
ＵＬグラントの特性は、ＵＬグラントに関連する制御チャネル（たとえばＰＤＣＣＨ）がそこで受信される探索空間であり得る。たとえば、ＵＥ１１０が共通探索空間中でＵＬグラントを受信する場合、ＵＥは、対応するＵＬ送信のためにデフォルト波形タイプを使用するように設定され得る。ＵＥ１１０がＵＥ固有探索空間中でＵＬグラントを受信する場合、ＵＥ１１０は、対応するＵＬ送信のためにＲＲＣ設定された波形タイプを使用するように設定され得る。
【００８５】
探索空間を使用することは、アップリンクのための波形を選択するためにＵＥ１１０によって使用され得る、ダウンリンク送信の特性の一例にすぎない。
【００８６】
いくつかの他の実施形態では、ＵＬグラントの特性は、ＵＬグラントに関連する制御チャネル（たとえばＰＤＣＣＨ）がそこで受信されるＣＯＲＥＳＥＴであり得る。たとえば、ＵＥ１１０が第１のＣＯＲＥＳＥＴ（たとえば、デフォルトＣＯＲＥＳＥＴ）中でＵＬグラントを受信する場合、ＵＥ１１０は、対応するＵＬ送信のためにデフォルト波形タイプを使用するように設定され得る。ＵＥ１１０が第２のＣＯＲＥＳＥＴ中でＵＬグラントを受信する場合、ＵＥ１１０は、対応するＵＬ送信のためにＲＲＣ設定された波形タイプを使用するように設定され得る。
【００８７】
いくつかの他の実施形態では、ＵＬグラントの特性は、ＵＬグラントによってシグナリングされたＭＣＳインデックスであり得る。たとえば、ＵＥ１１０が、値の第１のセットに属するＭＣＳインデックス（たとえば、ＭＣＳインデックス＜５）をもつＵＬグラントを受信する場合、ＵＥ１１０は、対応するＵＬ送信のためにデフォルト波形タイプを使用するように設定され得る。ＵＥ１１０が、値の第１のセットに属さないＭＣＳインデックスをもつＵＬグラントを受信する場合、ＵＥ１１０は、対応するＵＬ送信のためにＲＲＣ設定された波形タイプを使用するように設定され得る。
【００８８】
ＲＲＣ設定された波形タイプを指示するＲＲＣシグナリングは、以下のようであり得る。
−  タイプ１：ＯＦＤＭ；タイプ２：ＤＦＴＳ−ＯＦＤＭ（またはその逆も同様）。
−  タイプ１：ＯＦＤＭまたはＤＦＴＳ−ＯＦＤＭ；タイプ２：ＵＬグラント中でシグナリングされたＭＣＳインデックスと、関連するＭＣＳ／ＴＢＳテーブルとを使用して、波形タイプを決定する。
【００８９】
システム情報を介してシグナリングされる代わりに、デフォルト波形タイプは、ＯＦＤＭまたはＤＦＴＳ−ＯＦＤＭとしてあらかじめ指定され得る。言い換えれば、ＵＥ１１０は、特定のデフォルト波形を伴ってプリロードまたはあらかじめ設定され得る。
【００９０】
いくつかの実施形態では、波形選択はまた、少なくとも１つまたは複数のパラメータ（一例として以下の表を参照）と一緒に、上記で説明されたように行われ得る。ここで、ＵＬグラント特性に加えて、許可されたＵＬ送信のレイヤの数も考慮される。ＵＬグラント特性は、１つのレイヤの場合にのみ重要であり、２つ以上のレイヤを使用するすべての送信が、波形２を使用する。
2020523941.tif 000024
【００９１】
ＲＲＣ再設定中に、無線ネットワークノード１２０は、ＲＲＣ処理遅延に対応する時間ウィンドウ中の不確実性を克服するためにＵＥ１１０が「デフォルト波形タイプ」を使用するように、ＵＥ１１０にＵＬグラントを送ることができる。
【００９２】
いくつかの実施形態では、使用される波形は、ＵＥ１１０がどのＤＣＩフォーマットを伴って許可されるかに基づき得る。たとえば、ＤＣＩフォーマットＸは常に、ＤＦＴＳ−ＯＦＤＭが使用されることを指示し得、ＤＣＩフォーマットＹは常に、ＣＰ−ＯＦＤＭが使用されることを指示し得る。これは、さらに上記の例と組み合わせられ得、その結果、たとえば、所与の探索空間またはＣＯＲＥＳＥＴ中でのＤＣＩフォーマットＸは、ある波形を与えるが、別の探索空間またはＣＯＲＥＳＥＴ中では、ＤＣＩフォーマットＸは別の波形を与える。ＤＣＩフォーマットの代わりに、ＵＬグラントをスクランブルするために使用されるＲＮＴＩも、波形セレクタとして使用され得る。
【００９３】
いくつかの実施形態では、波形選択は、それがどの送信プロファイルまたはインデックスを使用したかに基づき得る。その結果、所与の送信プロファイル／インデックスの場合、所与の波形が仮定され、別の送信プロファイルの場合、別の波形が仮定される。
【００９４】
特定の態様は、グラントフリー（ｇｒａｎｔ  ｆｒｅｅ）／半永続的スケジューリングのための設定／許可であり、そのための波形は、リソース上にセットするときにＲＲＣによって直接設定され得る。別のオプションは、波形が、上記のオプションのうちの１つによって与えられるか、またはアクティブ化ＤＣＩメッセージ中で指示されることである。
【００９５】
いくつかの実施形態では、ＵＥ１１０がＵＬグラントを受信し、ＵＥ１１０が、アップリンクグラントの特性に基づいて、ＵＬグラントがデフォルト波形タイプまたはＲＲＣ設定された波形タイプのいずれかに関連すると決定するとき、ＵＥは、その特性に基づいて、ＰＵＳＣＨ送信リソース（たとえば、周波数領域リソースブロック（ＲＢ））のためのリソース割当タイプ（ＲＡタイプ）をも決定し得る。たとえば、共通探索空間中で監視されるＵＬグラントについて、ＵＥ１１０は、ＵＬグラントがＯＦＤＭ波形タイプを指示するのかＤＦＴＳ−ＯＦＤＭ波形タイプを指示するのかにかかわらず、連続ＲＢを割り当てるＲＡタイプ（たとえばＲＡタイプ０）を仮定することができ、ＵＥ固有探索空間中で監視されるＵＬグラントについて、ＵＥ１１０は、ＲＲＣ設定された波形タイプがＯＦＤＭにセットされた場合、連続ＲＢと不連続ＲＢの両方を割り当てるＲＡタイプ（たとえばＲＡタイプ１）を仮定し、ＲＲＣ設定された波形タイプがＤＦＴＳ−ＯＦＤＭにセットされた場合、連続ＲＢのみを割り当てるＲＡタイプ（ＲＡタイプ０）を仮定することができる。一般に、ＲＡタイプ１は、ＲＡタイプ０よりも多くのシグナリングビットを必要とすることになり、したがって、ＲＡタイプ０をもつＵＬグラントのＤＣＩフォーマットサイズとＲＡタイプ１をもつＵＬグラントのＤＣＩフォーマットサイズとは、異なり得る。しかしながら、ＵＥ１１０は、共通探索空間中で監視されるＵＬグラントについて単一のＲＡタイプのみを仮定することができるので、ＵＥ１１０は、複数のＤＣＩフォーマットサイズを監視する必要がなく、それにより、ＵＥブラインド復号の複雑性を低減する。ＵＥ固有探索空間中で監視されるＵＬグラントについて、ＵＥ１１０は、ＲＲＣ設定された波形タイプがＤＦＴＳ−ＯＦＤＭである場合、ＲＡタイプ０に従うＤＣＩフォーマットサイズを監視し、ＲＲＣ設定された波形タイプがＯＦＤＭである場合、ＲＡタイプ１に従うＤＣＩフォーマットサイズを監視することができる。
【００９６】
次に図１１を参照すると、いくつかの実施形態による、高レベルシグナリング図が示されている。図示のように、ＵＥ１１０は、最初に、ＵＥ１１０がアップリンク送信のために使用することができる２つまたはそれ以上の波形の識別情報を取得し得る（アクションＳ１０２）。ＵＥ１１０が波形の識別情報をどのように取得するかは、変動することがある。たとえば、いくつかの実施形態では、ＵＥ１１０は、第１の、またはデフォルト波形の識別情報を伴ってプリロードされ、ＲＲＣシグナリングを介して第２の波形の識別情報を取得することができる。他の実施形態では、ＵＥ１１０は、無線ネットワークノード１２０によって通常ブロードキャストされるシステム情報（ＳＩ）シグナリングを介して、第１の波形の識別情報を取得することができる。ＵＥ１１０は、ＲＲＣシグナリングを介して、第２の波形の識別情報を取得することができる。ＵＥ１１０が２つまたはそれ以上の波形の識別情報をどのように取得するかにかかわらず、ＵＥ１１０は、その後、無線ネットワークノード１２０からダウンリンク送信を受信する（アクションＳ１０４）。ＵＥ１１０によって受信されたダウンリンク送信は、少なくとも１つの特性を有する。広く、特性は、ＵＥ１１０によって検出され得る、ダウンリンク送信自体の特徴であるか、またはダウンリンク送信が搬送する（１つまたは複数の）メッセージの特徴である。上記のように、ダウンリンク送信の少なくとも１つの特性は、ダウンリンク制御メッセージが位置する特定の探索空間、ダウンリンク制御メッセージが位置する制御リソースのセット、ダウンリンク制御メッセージのＭＣＳインデックス、ダウンリンク制御メッセージのフォーマット、ダウンリンク制御メッセージをスクランブルするためのＲＮＴＩなどであり得る。
【００９７】
ダウンリンク送信の少なくとも１つの特性に少なくとも部分的に基づいて、ＵＥ１１０は、今度のアップリンク送信のために２つまたはそれ以上の波形のうちの１つの波形を選択する（アクションＳ１０６）。たとえば、ダウンリンク送信の例示的特性としてダウンリンク制御メッセージが送信される探索空間を使用して、ＵＥ１１０は、ダウンリンク制御メッセージが共通探索空間中で送信されるとき、第１の、またはデフォルト波形を選択し、ダウンリンク制御メッセージがＵＥ固有探索空間中で送信されるとき、第２の（たとえば、ＲＲＣ設定された）波形を選択するように設定され得る。
【００９８】
波形を選択した後に、ＵＥ１１０は、選択された波形を使用して、無線ネットワークノード１２０にアップリンク送信を送信した（アクションＳ１０８）。ダウンリンク送信の少なくとも１つの特性に基づいてアップリンク送信のための波形をどのようにＵＥ１１０が選択することになるかを知ると、無線ネットワークノード１２０は、アップリンク送信のためにどんな波形を予想すべきかを知ることになる。
【００９９】
図１２は、いくつかの実施形態による、ＵＥ１１０の動作を示すフローチャートである。図示のように、ＵＥ１１０は、最初に、２つまたはそれ以上の波形の識別情報を取得し得る（アクションＳ２０２）。これらの２つまたはそれ以上の波形は、無線ネットワークノード１２０と通信するとき、ＵＥ１１０によって使用され得る。ＵＥ１１０が２つまたはそれ以上の波形の識別情報をどのように取得するかは、変動し得、ＵＥ１１０は、異なるソースから２つまたはそれ以上の波形の識別情報を取得し得る。たとえば、ＵＥ１１０は、２つまたはそれ以上の波形のうちの第１の波形の識別情報を、メモリからそれを取り出すことによって、取得し得、すなわち、ＵＥ１１０は、２つまたはそれ以上の波形のうちの第１の波形の識別情報を伴ってプリロードまたはあらかじめ設定され、無線ネットワークノード１２０から受信されたメッセージ（たとえば、ＲＲＣメッセージ）を介して２つまたはそれ以上の波形のうちの第２の波形の識別情報を取得し得る。
【０１００】
ＵＥ１１０は、次いで、無線ネットワークノード、たとえば、無線ネットワークノード１２０からダウンリンク送信を受信し、ダウンリンク送信は、少なくとも１つの特性を有する（アクションＳ２０４）。ダウンリンク送信の少なくとも１つの特性は、ダウンリンク制御メッセージが位置する特定の探索空間、ダウンリンク制御メッセージが位置する制御リソースのセット、ダウンリンク制御メッセージのＭＣＳインデックス、ダウンリンク制御メッセージのフォーマット、ダウンリンク制御メッセージをスクランブルするためのＲＮＴＩなどであり得る。
【０１０１】
ＵＥ１１０は、次いで、無線ネットワークノード１２０への今度のアップリンク送信のために２つまたはそれ以上の波形から１つの波形を選択し、波形は、ダウンリンク送信の少なくとも１つの特性に少なくとも部分的に基づいて選択される（アクションＳ２０６）。
【０１０２】
次いで、ＵＥ１１０は、選択された波形を使用して、無線ネットワークノード１２０にアップリンク送信を送信する（アクションＳ２０８）。
【０１０３】
次に図１３を参照すると、いくつかの実施形態による、無線ネットワークノード１２０の動作を示すフローチャートが示されている。図示のように、無線ネットワークノード１２０は、最初に、ＵＥ１１０に２つまたはそれ以上の波形のうちの１つ、いくつか、またはすべての識別情報を送信し得る（アクションＳ３０２）。いくつかの実施形態では、ＵＥ１１０が、たとえば、２つまたはそれ以上の波形の識別情報を伴ってすでにプリロードまたはあらかじめ設定されている場合、このステップは随意であり得る。
【０１０４】
無線ネットワークノード１２０は、次いで、今度のアップリンク送信のために所望される２つまたはそれ以上の波形のうちの１つに少なくとも部分的に基づいて、ダウンリンク送信の少なくとも１つの特性を決定し得る（アクションＳ３０４）。無線ネットワークノード１２０は、次いで、ＵＥ１１０にダウンリンク送信を送信する（アクションＳ３０６）。ダウンリンク送信は、２つまたはそれ以上の波形のうちの１つをその後選択するためにＵＥ１１０によって使用されることになる、少なくとも１つの特性を有する。
【０１０５】
その後、無線ネットワークノード１２０は、ＵＥ１１０からアップリンク送信を受信し、アップリンク送信は、ダウンリンク送信の少なくとも１つの特性に少なくとも部分的に基づいて２つまたはそれ以上の波形から選択された波形を使用する。
【０１０６】
次に、ＵＥ１１０の実施形態が、図１４および図１５に関して説明される。説明全体にわたってユーザ機器という表現が使用されるが、その表現は一般的に使用されることを理解されたい。その意味では、異なる通信規格はしばしば、ユーザ機器について説明するとき、異なる用語を使用する。たとえば、ユーザ機器に加えて、３ＧＰＰは、モバイル端末（ＭＴ）をも使用する。その部分について、３ＧＰＰ２は、アクセス端末（ＡＴ）という用語を使用し、（ＷｉＦｉ（商標）としても知られる）ＩＥＥＥ８０２．１１は、局（ＳＴＡ）という用語を使用する。
【０１０７】
図１４は、いくつかの実施形態による、例示的なＵＥ１１０のブロック図である。ＵＥ１１０は、トランシーバ、プロセッサ、およびメモリのうちの１つまたは複数を含む。いくつかの実施形態では、トランシーバは、（たとえば、（１つまたは複数の）送信機（Ｔｘ）、（１つまたは複数の）受信機（Ｒｘ）および（１つまたは複数の）アンテナを介して）無線ネットワークノード１２０に無線信号を送信すること、および無線ネットワークノード１２０から無線信号を受信することを容易にする。プロセッサは、ＵＥ１１０によって与えられるかまたは実施されるものとして上記で説明された機能性の一部または全部を与えるための命令を実行し、メモリは、プロセッサによって実行される命令を記憶する。いくつかの実施形態では、プロセッサおよびメモリは、処理回路を形成する。
【０１０８】
プロセッサは、上記で説明されたＵＥ１１０の機能など、ＵＥ１１０の説明された機能の一部または全部を実施するために、命令を実行し、データを操作するための、ハードウェアの任意の好適な組合せを含み得る。いくつかの実施形態では、プロセッサは、たとえば、１つまたは複数のコンピュータ、１つまたは複数の中央処理ユニット（ＣＰＵ）、１つまたは複数のマイクロプロセッサ、１つまたは複数の特定用途向け集積回路（ＡＳＩＣ）、１つまたは複数のフィールドプログラマブルゲートアレイ（ＦＰＧＡ）および／または他の論理を含み得る。
【０１０９】
メモリは、概して、コンピュータプログラム、ソフトウェア、論理、ルール、アルゴリズム、コード、テーブルなどのうちの１つまたは複数を含むアプリケーション、および／またはプロセッサによって実行されることが可能な他の命令など、命令を記憶するように動作可能である。メモリの例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、ＵＥ１１０のプロセッサによって使用され得る情報、データ、および／または命令を記憶する、任意の他の揮発性または不揮発性、非一時的コンピュータ可読および／またはコンピュータ実行可能メモリデバイスを含む。
【０１１０】
ＵＥ１１０の他の実施形態は、上記で説明された機能性および／または（上記で説明されたソリューションをサポートするのに必要な任意の機能性を含む）任意の追加の機能性のうちのいずれかを含む、ＵＥの機能性のいくつかの態様を与えることを担当し得る、図１４に示されている構成要素以外の追加の構成要素を含み得る。ほんの一例として、ＵＥ１１０は、プロセッサの一部であり得る、入力デバイスおよび回路、出力デバイス、ならびに１つまたは複数の同期ユニットまたは回路を含み得る。入力デバイスは、ＵＥ１１０へのデータのエントリのための機構を含む。たとえば、入力デバイスは、マイクロフォン、入力エレメント、ディスプレイなど、入力機構を含み得る。出力デバイスは、オーディオ、ビデオおよび／またはハードコピーフォーマットでデータを出力するための機構を含み得る。たとえば、出力デバイスは、スピーカー、ディスプレイなどを含み得る。
【０１１１】
いくつかの実施形態では、ＵＥ１１０は、上記で説明されたＵＥ１１０の機能性を実装するように設定された一連の機能モジュールを備え得る。図１５を参照すると、いくつかの実施形態では、ＵＥ１１０は、無線ネットワークノードからダウンリンク送信を受信するように設定された受信モジュールであって、ダウンリンク送信が少なくとも１つの特性を有する、受信モジュールと、無線ネットワークノードへの今度のアップリンク送信のために２つまたはそれ以上の波形から１つの波形を選択するように設定された選択モジュールであって、波形が、ダウンリンク送信の少なくとも１つの特性に少なくとも部分的に基づいて選択される、選択モジュールと、選択された波形を使用して、無線ネットワークノードにアップリンク送信するように設定された送信モジュールとを備え得る。
【０１１２】
様々なモジュールが、ハードウェアおよび／またはソフトウェア、たとえば、図１４に示されているＵＥ１１０のプロセッサ、メモリおよび（１つまたは複数の）トランシーバの組合せとして実装され得ることが諒解されよう。いくつかの実施形態は、追加のおよび／または随意の機能性をサポートするための追加のモジュールをも含み得る。
【０１１３】
次に、無線ネットワークノード１２０の実施形態が、図１６および図１７に関して説明される。図１６は、いくつかの実施形態による、例示的な無線ネットワークノード１２０のブロック図である。無線ネットワークノード１２０は、トランシーバ、プロセッサ、メモリ、および通信インターフェースのうちの１つまたは複数を含み得る。いくつかの実施形態では、トランシーバは、（たとえば、（１つまたは複数の）送信機（Ｔｘ）、（１つまたは複数の）受信機（Ｒｘ）、および（１つまたは複数の）アンテナを介して）ＵＥ１１０に無線信号を送信すること、およびＵＥ１１０から無線信号を受信することを容易にする。プロセッサは、無線ネットワークノード１２０によって与えられるかまたは実施されるものとして上記で説明された機能性の一部または全部を与えるための命令を実行し、メモリは、プロセッサによって実行される命令を記憶する。いくつかの実施形態では、プロセッサおよびメモリは、処理回路を形成する。通信インターフェースは、無線ネットワークノード１２０が、ゲートウェイ、スイッチ、ルータ、インターネット、公衆交換電話網（ＰＳＴＮ）、コアネットワークノードまたは無線ネットワークコントローラなど、バックエンドネットワーク構成要素に信号を通信することを可能にするためなどの、コアネットワークインターフェースおよび無線ネットワークインターフェースを備え得る。
【０１１４】
プロセッサは、命令を実行し、上記で説明された機能など、無線ネットワークノード１２０の説明された機能の一部または全部を実施するようにデータを操作するための、ハードウェアの任意の好適な組合せを含み得る。いくつかの実施形態では、プロセッサは、たとえば、１つまたは複数のコンピュータ、１つまたは複数の中央処理ユニット（ＣＰＵ）、１つまたは複数のマイクロプロセッサ、１つまたは複数の特定用途向け集積回路（ＡＳＩＣ）、１つまたは複数のフィールドプログラマブルゲートアレイ（ＦＰＧＡ）および／または他の論理を含み得る。
【０１１５】
メモリは、概して、コンピュータプログラム、ソフトウェア、論理、ルール、アルゴリズム、コード、テーブルなどのうちの１つまたは複数を含むアプリケーション、および／またはプロセッサによって実行されることが可能な他の命令など、命令を記憶するように動作可能である。メモリの例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【０１１６】
いくつかの実施形態では、通信インターフェースは、プロセッサに通信可能に結合され、無線ネットワークノード１２０のための入力を受信するか、無線ネットワークノード１２０からの出力を送るか、入力または出力またはその両方の好適な処理を実施するか、他のデバイスに通信するか、あるいは前述の任意の組合せを行うように動作可能な任意の好適なデバイスを指し得る。通信インターフェースは、ネットワークを通して通信するために、適切なハードウェア（たとえば、ポート、モデム、ネットワークインターフェースカードなど）と、プロトコル変換能力およびデータ処理能力を含むソフトウェアとを含み得る。
【０１１７】
無線ネットワークノード１２０の他の実施形態は、上記で説明された機能性および／または（上記で説明されたソリューションをサポートするのに必要な任意の機能性を含む）任意の追加の機能性のうちのいずれかを含む、無線ネットワークノードの機能性のいくつかの態様を与えることを担当し得る、図１６に示されている構成要素以外の追加の構成要素を含み得る。様々な異なるタイプのネットワークノードは、同じ物理ハードウェアを有するが（たとえば、プログラミングを介して）異なる無線アクセス技術をサポートするように設定された構成要素を含み得るか、あるいは部分的にまたは完全に異なる物理構成要素を表し得る。
【０１１８】
いくつかの実施形態では、無線ネットワークノード１２０は、上記で説明された無線ネットワークノード１２０の機能性を実装するように設定された一連のモジュールを備え得る。図１７を参照すると、いくつかの実施形態では、無線ネットワークノード１２０は、ユーザ機器にダウンリンク送信を送信するように設定された送信モジュールであって、ダウンリンク送信が少なくとも１つの特性を有する、送信モジュールと、ユーザ機器からアップリンク送信を受信するように設定された受信モジュールであって、アップリンク送信が、ダウンリンク送信の少なくとも１つの特性に少なくとも部分的に基づいて２つまたはそれ以上の波形から選択された波形を使用する、受信モジュールとを備え得る。
【０１１９】
様々なモジュールが、ハードウェアおよび／またはソフトウェア、たとえば、図１６に示されている無線ネットワークノード１２０のプロセッサ、メモリおよび（１つまたは複数の）トランシーバの組合せとして実装され得ることが諒解されよう。いくつかの実施形態は、追加のおよび／または随意の機能性をサポートするための追加のモジュールをも含み得る。
【０１２０】
いくつかの実施形態は、機械可読媒体（媒体において具現化されたコンピュータ可読プログラムコードを有する、コンピュータ可読媒体、プロセッサ可読媒体、またはコンピュータ使用可能媒体とも呼ばれる）に記憶された非一時的ソフトウェア製品として表され得る。機械可読媒体は、ディスケット、コンパクトディスク読取り専用メモリ（ＣＤ−ＲＯＭ）、デジタル多用途ディスク読取り専用メモリ（ＤＶＤ−ＲＯＭ）メモリデバイス（揮発性または不揮発性）、または同様の記憶機構を含む、磁気、光、または電気的記憶媒体を含む任意の好適な有形媒体であり得る。機械可読媒体は、実行されたとき、プロセッサに、説明された実施形態のうちの１つまたは複数による方法におけるステップを実施させる、命令、コードシーケンス、設定情報、または他のデータの様々なセットを含んでいることがある。当業者は、説明された実施形態を実装するのに必要な他の命令および動作も、機械可読媒体に記憶され得ることを諒解されよう。機械可読媒体から動作するソフトウェアは、説明されたタスクを実施するために回路とインターフェースし得る。
【０１２１】
上記で説明された実施形態は、例にすぎないことを意図する。その説明の範囲から逸脱することなく、当業者によって特定の実施形態の改変、修正および変形が実現され得る。
【０１２２】
略語
本明細書は、以下の略語のうちの１つまたは複数を含み得る。
【０１２３】
ＣＤＭ  符号分割多重
【０１２４】
ＣＱＩ  チャネル品質情報
【０１２５】
ＣＲＣ  サイクリック冗長検査
【０１２６】
ＤＣＩ  ダウンリンク制御情報
【０１２７】
ＤＦＴ  離散フーリエ変換
【０１２８】
ＤＭ−ＲＳ  復調用参照信号
【０１２９】
ＦＢＭＣ  フィルタバンクマルチキャリア
【０１３０】
ＦＤＭ  周波数分割多重
【０１３１】
ＨＡＲＱ  ハイブリッド自動再送要求
【０１３２】
ＯＦＤＭ  直交周波数分割多重
【０１３３】
ＰＡＰＲ  ピーク対平均電力比
【０１３４】
ＰＤＣＣＨ  物理ダウンリンク制御チャネル
【０１３５】
ＰＵＣＣＨ  物理アップリンク制御チャネル
【０１３６】
ＰＵＳＣＨ  物理アップリンク共有チャネル
【０１３７】
ＰＲＢ  物理リソースブロック
【０１３８】
ＲＲＣ  無線リソース制御       
【０１３９】
ＵＣＩ  アップリンク制御情報
【図１】
2020523941.tif 000025
【図２】
2020523941.tif 000026
【図３】
2020523941.tif 000027
【図４】
2020523941.tif 000028
【図５】
2020523941.tif 000029
【図６】
2020523941.tif 000030
【図７】
2020523941.tif 000031
【図８】
2020523941.tif 000032
【図９】
2020523941.tif 000033
【図１０】
2020523941.tif 000034
【図１１】
2020523941.tif 000035
【図１２】
2020523941.tif 000036
【図１３】
2020523941.tif 000037
【図１４】
2020523941.tif 000038
【図１５】
2020523941.tif 000039
【図１６】
2020523941.tif 000040
【図１７】
2020523941.tif 000041
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）における方法であって、前記方法は、
無線ネットワークノードからダウンリンク制御メッセージを受信することであって、前記ダウンリンク制御メッセージがフォーマットを有する、ダウンリンク制御メッセージを受信することと、
前記無線ネットワークノードへの今度のアップリンク送信のために２つまたはそれ以上の波形から１つの波形を選択することであって、前記波形が、前記ダウンリンク制御メッセージの前記フォーマットと前記ＵＥの無線リソース制御（ＲＲＣ）設定とに少なくとも部分的に基づいて選択される、１つの波形を選択することと、
前記選択された波形を使用して、前記無線ネットワークノードに前記アップリンク送信を送信することと
を含む、方法。
【請求項２】
前記ダウンリンク制御メッセージがアップリンクグラントを含む、請求項１に記載の方法。
【請求項３】
前記波形が、前記ダウンリンク制御メッセージをスクランブルするために使用された無線ネットワーク一時識別子（ＲＮＴＩ）に少なくとも部分的にさらに基づいて選択される、請求項１または２に記載の方法。
【請求項４】
前記ダウンリンク制御メッセージの前記フォーマットと前記ＵＥの前記ＲＲＣ設定とに少なくとも部分的に基づいて、前記アップリンク送信のために２つまたはそれ以上のリソース割当から１つのリソース割当を選択することをさらに含み、前記無線ネットワークノードに前記アップリンク送信を送信することが、前記選択されたリソース割当を使用してさらに実施される、請求項１から３のいずれか一項に記載の方法。
【請求項５】
前記２つまたはそれ以上の波形の識別情報を取得することをさらに含む、請求項１から４のいずれか一項に記載の方法。
【請求項６】
前記２つまたはそれ以上の波形の識別情報を取得することが、前記無線ネットワークノードから受信されたＲＲＣシグナリングを介して、前記２つまたはそれ以上の波形のうちの少なくとも１つの識別情報を受信することを含む、請求項５に記載の方法。
【請求項７】
システム情報から第１の波形を決定することと、
前記ＵＥの前記ＲＲＣ設定から第２の波形を決定することと、
２つまたはそれ以上の波形から１つの波形を選択することであって、前記無線ネットワークノードへの今度のアップリンク送信のために前記第１の波形および前記第２の波形から１つの波形を選択することをさらに含み、前記波形が、前記ダウンリンク制御メッセージの前記フォーマットと前記ＵＥの前記ＲＲＣ設定とに少なくとも部分的に基づいて選択される、１つの波形を選択することと、
前記選択された波形を使用して、前記無線ネットワークノードに前記アップリンク送信を送信することと
をさらに含む、請求項１から３のいずれか一項に記載の方法。
【請求項８】
前記２つまたはそれ以上の波形のうちの１つが、離散フーリエ変換（ＤＦＴ）プリコーディングを有する離散フーリエ変換拡散直交周波数分割多重（ＤＦＴＳ−ＯＦＤＭ）ベース波形である、請求項１に記載の方法。
【請求項９】
ユーザ機器（ＵＥ）であって、
無線ネットワークノードからダウンリンク制御メッセージを受信することであって、前記ダウンリンク制御メッセージがフォーマットを有する、ダウンリンク制御メッセージを受信することと、
前記無線ネットワークノードへの今度のアップリンク送信のために２つまたはそれ以上の波形から１つの波形を選択することであって、前記波形が、前記ダウンリンク制御メッセージの前記フォーマットと前記ＵＥの無線リソース制御（ＲＲＣ）設定とに少なくとも部分的に基づいて選択される、１つの波形を選択することと、
前記選択された波形を使用して、前記無線ネットワークノードに前記アップリンク送信を送信することと
を行うように適合された回路を備える、ユーザ機器（ＵＥ）。
【請求項１０】
前記処理回路が、請求項２から８のいずれか一項に記載の方法に従って動作するようにさらに適合された、請求項９に記載のＵＥ。
【請求項１１】
非一時的コンピュータ可読記憶媒体を備えるコンピュータプログラム製品であって、前記非一時的コンピュータ可読記憶媒体が、前記媒体において具現化されたコンピュータ可読プログラムコードを有し、前記コンピュータ可読プログラムコードは、
無線ネットワークノードからダウンリンク制御メッセージを受信するためのコンピュータ可読プログラムコードであって、前記ダウンリンク制御メッセージがフォーマットを有する、コンピュータ可読プログラムコードと、
前記無線ネットワークノードへの今度のアップリンク送信のために２つまたはそれ以上の波形から１つの波形を選択するためのコンピュータ可読プログラムコードであって、前記波形が、前記ダウンリンク制御メッセージの前記フォーマットと前記ＵＥの無線リソース制御（ＲＲＣ）設定とに少なくとも部分的に基づいて選択される、コンピュータ可読プログラムコードと、
前記選択された波形を使用して、前記無線ネットワークノードに前記アップリンク送信を送信するためのコンピュータ可読プログラムコードと
を備える、コンピュータプログラム製品。
【請求項１２】
前記コンピュータ可読プログラムコードが、請求項２から８のいずれか一項に記載の方法に従って動作するためのコンピュータ可読プログラムコードをさらに備える、請求項１１に記載のコンピュータプログラム製品。
【請求項１３】
無線ネットワークノードにおける方法であって、前記方法は、
ユーザ機器にダウンリンク制御メッセージを送信することであって、前記ダウンリンク制御メッセージがフォーマットを有する、ダウンリンク制御メッセージを送信することと、
前記ユーザ機器からアップリンク送信を受信することであって、前記アップリンク送信が、前記ダウンリンク制御メッセージの前記フォーマットと前記ＵＥの無線リソース制御（ＲＲＣ）設定とに少なくとも部分的に基づいて２つまたはそれ以上の波形から選択された波形を使用する、アップリンク送信を受信することと
を含む、方法。
【請求項１４】
前記ダウンリンク制御メッセージがアップリンクグラントを含む、請求項１３に記載の方法。
【請求項１５】
前記波形が、前記ダウンリンク制御メッセージをスクランブルするために使用された無線ネットワーク一時識別子（ＲＮＴＩ）に少なくとも部分的にさらに基づいて選択される、請求項１３または１４に記載の方法。
【請求項１６】
今度のアップリンク送信のために所望される前記２つまたはそれ以上の波形のうちの１つに少なくとも部分的に基づいて、前記ダウンリンク制御メッセージの前記フォーマットを決定することをさらに含む、請求項１３から１５のいずれか一項に記載の方法。
【請求項１７】
前記ＵＥに前記２つまたはそれ以上の波形のうちの少なくとも１つの識別情報を送信することをさらに含む、請求項１３から１６のいずれか一項に記載の方法。
【請求項１８】
前記ＵＥに前記２つまたはそれ以上の波形のうちの少なくとも１つの識別情報を送信することが、ＲＲＣシグナリングを介して実施される、請求項１７に記載の方法。
【請求項１９】
無線ネットワークノードであって、
ユーザ機器にダウンリンク制御メッセージを送信することであって、前記ダウンリンク制御メッセージがフォーマットを有する、ダウンリンク制御メッセージを送信することと、
前記ユーザ機器からアップリンク送信を受信することであって、前記アップリンク送信が、前記ダウンリンク制御メッセージの前記フォーマットと前記ＵＥの無線リソース制御（ＲＲＣ）設定とに少なくとも部分的に基づいて２つまたはそれ以上の波形から選択された波形を使用する、アップリンク送信を受信することと
を行うように適合された処理回路を備える、無線ネットワークノード。
【請求項２０】
前記処理回路が、請求項１４から１８のいずれか一項に記載の方法に従って動作するようにさらに適合された、請求項１９に記載の無線ネットワークノード。
【請求項２１】
非一時的コンピュータ可読記憶媒体を備えるコンピュータプログラム製品であって、前記非一時的コンピュータ可読記憶媒体が、前記媒体において具現化されたコンピュータ可読プログラムコードを有し、前記コンピュータ可読プログラムコードは、
ユーザ機器にダウンリンク制御メッセージを送信するためのコンピュータ可読プログラムコードであって、前記ダウンリンク制御メッセージがフォーマットを有する、コンピュータ可読プログラムコードと、
前記ユーザ機器からアップリンク送信を受信するためのコンピュータ可読プログラムコードであって、前記アップリンク送信が、前記ダウンリンク制御メッセージの前記フォーマットと前記ＵＥの無線リソース制御（ＲＲＣ）設定とに少なくとも部分的に基づいて２つまたはそれ以上の波形から選択された波形を使用する、コンピュータ可読プログラムコードと
を備える、コンピュータプログラム製品。
【請求項２２】
前記コンピュータ可読プログラムコードが、請求項１４から１８のいずれか一項に記載の方法に従って動作するためのコンピュータ可読プログラムコードをさらに備える、請求項２１に記載のコンピュータプログラム製品。
【国際調査報告】
2020523941.tif 000042
2020523941.tif 000043